【手続補正書】
【提出日】平成18年7月25日(2006.7.25)
【手続補正１】
【補正対象書類名】明細書
【補正対象項目名】特許請求の範囲
【補正方法】変更
【補正の内容】
【特許請求の範囲】
【請求項１】  プロジェクタの姿勢及び／又は位置を検出する姿勢位置検出手段と、前記姿勢位置検出手段の検出結果に基づいて原表示画像から実際に表示する実表示画像を抽出する実表示画像抽出手段と、投写光学ユニットとを備えたことを特徴とするプロジェクタ。
【請求項２】  請求項１に記載のプロジェクタにおいて、
前記姿勢位置検出手段は、投写面を撮影する撮像素子と、前記撮像素子により得られる撮影画像の画像処理を行うことによりプロジェクタの姿勢及び／又は位置を決定する画像処理手段とを有することを特徴とするプロジェクタ。
【請求項３】  請求項１又は２に記載のプロジェクタにおいて、
プロジェクタの投写レンズの光軸が投写面の法線から傾いている場合に生ずる実表示画像の歪を補正する歪補正手段をさらに備えたことを特徴とするプロジェクタ。
【請求項４】  請求項１〜３のいずれかに記載のプロジェクタにおいて、
前記姿勢位置検出手段の検出結果に基づいて実表示画像の明るさを調整する明るさ調整手段をさらに備えたことを特徴とするプロジェクタ。
【請求項５】  請求項２に記載のプロジェクタにおいて、
前記姿勢位置検出手段が、プロジェクタの姿勢及び／又は位置に関する動きを検出する動き検出機能を有する姿勢位置検出手段であって、前記プロジェクタが前記動き検出機能の検出結果に基づいて表示画像についての動き補正を行う動き補正手段をさらに備えたことを特徴とするプロジェクタ。
【請求項６】  請求項１〜５のいずれかに記載のプロジェクタにおいて、
移動方向検出センサと、前記移動方向検出センサからの信号を処理してプロジェクタの姿勢及び／又は位置に関する動きを検出する信号処理手段とを有する動き検出手段と、
前記動き検出手段の検出結果に基づいて表示画像についての動き補正を行う動き補正手段とをさらに備えたことを特徴とするプロジェクタ。
【請求項７】  請求項６に記載のプロジェクタにおいて、
前記姿勢位置検出手段は、投写面を撮影する撮像素子と、前記撮像素子により得られる撮影画像の画像処理を行うことによりプロジェクタの姿勢及び／又は位置を決定する画像処理手段と、を有し、
前記姿勢位置検出手段は、前記動き検出手段からの検出結果によりプロジェクタの姿勢及び／又は位置を決定する機能を有することを特徴とするプロジェクタ。
【請求項８】  プロジェクタの姿勢及び／又は位置に関する動きを検出する動き検出手段と、前記動き検出手段の検出結果に基づいて表示画像についての動き補正を行う動き補正手段と、投写光学ユニットとを備えたことを特徴とするプロジェクタ。
【請求項９】  請求項８に記載のプロジェクタにおいて、
前記動き検出手段が、移動方向検出センサと、前記移動方向検出センサからの信号を処理してプロジェクタの姿勢及び／又は位置に関する動きを検出する信号処理手段とを有することを特徴とするプロジェクタ。
【請求項１０】  請求項８に記載のプロジェクタにおいて、
前記動き検出手段が、投写面を撮影する撮像素子と、前記撮像素子により得られる撮影画像の画像処理を行うことにより動きを検出する画像処理手段とを有することを特徴とするプロジェクタ。
【請求項１１】  請求項８〜１０のいずれかに記載のプロジェクタにおいて、
前記動き補正手段が、前記動き検出手段の検出結果に基づいて原表示画像から実際に表示する実表示画像を抽出することにより表示画像についての動き補正を行うことを特徴とするプロジェクタ。
【請求項１２】  請求項８〜１０のいずれかに記載のプロジェクタにおいて、
前記動き補正手段が、前記動き検出手段の検出結果に基づいて投写光の投写方向を変化させることにより表示画像についての動き補正を行うことを特徴とするプロジェクタ。
【請求項１３】  視者の位置を検出する視者位置検出手段と、前記視者位置検出手段の検出結果に基づいて、投写面における、所定の表示を投写する位置を制御する投写位置制御手段と、投写光学ユニットとを備えたことを特徴とするプロジェクタ。
【請求項１４】  請求項１３に記載のプロジェクタにおいて、
前記投写光学ユニットはそれぞれ異なった領域を表示する複数の投写光学ユニットからなり、前記投写位置制御手段は複数の投写光学ユニットを連動して制御することを特徴とするプロジェクタ。
【請求項１５】
ユーザの操作を受け付ける操作部と、前記操作部が受け付けた結果に基づいて原表示画像から実際に表示する実表示画像を抽出する実表示画像抽出手段と、投写光学ユニットとを備えたことを特徴とするプロジェクタ。
【手続補正２】
【補正対象書類名】明細書
【補正対象項目名】０００７
【補正方法】変更
【補正の内容】
【０００７】
【課題を解決するための手段】
（１）本発明のプロジェクタは、プロジェクタの姿勢及び／又は位置を検出する姿勢位置検出手段と、前記姿勢位置検出手段の検出結果に基づいて原表示画像から実際に表示する実表示画像を抽出する実表示画像抽出手段と、投写光学ユニットとを備えたことを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１４
【補正方法】変更
【補正の内容】
【００１４】
（２）上記（１）に記載のプロジェクタにおいては、前記姿勢位置検出手段は、投写面を撮影する撮像素子と、前記撮像素子により得られる撮影画像の画像処理を行うことによりプロジェクタの姿勢及び／又は位置を決定する画像処理手段とを有するものであることが好ましい。
【手続補正５】
【補正対象書類名】明細書
【補正対象項目名】００２０
【補正方法】変更
【補正の内容】
【００２０】
（４）上記（１）〜（３）のいずれかに記載のプロジェクタは、前記姿勢位置検出手段の検出結果に基づいて実表示画像の明るさを調整する明るさ調整手段をさらに備えたものであることが好ましい。
【手続補正６】
【補正対象書類名】明細書
【補正対象項目名】００２３
【補正方法】変更
【補正の内容】
【００２３】
（５）上記（２）に記載のプロジェクタにおいては、前記姿勢位置検出手段がプロジェクタの姿勢及び／又は位置に関する動きを検出する動き検出機能を有する姿勢位置検出手段であって、前記プロジェクタが前記動き検出機能の検出結果に基づいて表示画像についての動き補正を行う動き補正手段をさらに備えたものであることが好ましい。
【手続補正７】
【補正対象書類名】明細書
【補正対象項目名】００２９
【補正方法】変更
【補正の内容】
【００２９】
（７）上記（６）に記載のプロジェクタにおいては、前記姿勢位置検出手段は、投写面を撮影する撮像素子と、前記撮像素子により得られる撮影画像の画像処理を行うことによりプロジェクタの姿勢及び／又は位置を決定する画像処理手段と、を有し、
前記姿勢位置検出手段は、前記動き検出手段からの検出結果によりプロジェクタの姿勢及び／又は位置を決定する機能を有するプロジェクタとすることもできる。
【手続補正８】
【補正対象書類名】明細書
【補正対象項目名】００３１
【補正方法】変更
【補正の内容】
【００３１】
（８）本発明のプロジェクタは、プロジェクタの姿勢及び／又は位置に関する動きを検出する動き検出手段と、前記動き検出手段の検出結果に基づいて表示画像についての動き補正を行う動き補正手段と、投写光学ユニットとを備えたことを特徴とする。
【手続補正９】
【補正対象書類名】明細書
【補正対象項目名】００３３
【補正方法】変更
【補正の内容】
【００３３】
（９）上記（８）に記載のプロジェクタにおいては、前記動き検出手段が、移動方向検出センサと、前記移動方向検出センサからの信号を処理してプロジェクタの姿勢及び／又は位置に関する動きを検出する信号処理手段とを有するものであることが好ましい。
【手続補正１０】
【補正対象書類名】明細書
【補正対象項目名】００３６
【補正方法】変更
【補正の内容】
【００３６】
（１０）上記（８）に記載のプロジェクタにおいては、前記動き検出手段が、投写面を撮影する撮像素子と、前記撮像素子により得られる撮影画像の画像処理を行うことにより動きを検出する画像処理手段とを有するものであることが好ましい。
【手続補正１１】
【補正対象書類名】明細書
【補正対象項目名】００４３
【補正方法】変更
【補正の内容】
【００４３】
（１３）本発明のプロジェクタは、視者の位置を検出する視者位置検出手段と、前記視者位置検出手段の検出結果に基づいて、投写面における、所定の表示を投写する位置を制御する投写位置制御手段と、投写光学ユニットとを備えたことを特徴とする。
【手続補正１２】
【補正対象書類名】明細書
【補正対象項目名】００４６
【補正方法】変更
【補正の内容】
【００４６】
このように構成することにより、視者が比較的長い距離を移動するような場合に適したプロジェクタとなる。例えば、地下鉄の列車の進行方向に沿って複数のプロジェクタを配列しておき、地下鉄の列車の進行に追随するように広告等の表示をするようにすれば、有効な広告・宣伝・注意などを行うことが可能になる。
本発明のプロジェクタは、ユーザの操作を受け付ける操作部と、前記操作部が受け付けた結果に基づいて原表示画像から実際に表示する実表示画像を抽出する実表示画像抽出手段と、投写光学ユニットとを備えたことを特徴とする。
このため、本発明のプロジェクタにおいては、ユーザの操作に基づいて、原表示画像から実際に表示する実表示画像を抽出することができる。この場合は、プロジェクタが投写面に近づいて、ユーザが「文字が小さくなって視認性が悪くなったので文字をもっと大きくして見たい」と判断したような場合には、ユーザの操作により、より小さな範囲の実表示画像を抽出して投写面に投写することができる。その結果、投写面上に表示される文字をもっと大きくして見易くすることが容易にできるようになる。